(57)【特許請求の範囲】
【請求項１】
塗装スプレーガン本体と、該塗装スプレーガン本体の先端側に設けられた塗料を噴霧する塗料ノズルと、該塗装スプレーガン本体内に塗料を供給する塗装スプレーガン本体に設けられた塗料供給部とを有してなる塗装スプレーガンに用いられる塗装スプレーガン用フィルタであって、
前記塗料ノズル内に設けられ塵埃を捕捉する第１フィルタ及び／又は前記塗料供給部内に設けられ塵埃を捕捉する第２フィルタを含み、
前記第１フィルタ及び／又は前記第２フィルタは、ロール状に形成され、
前記第１フィルタは、複数の透孔を有する網目状の第１フィルタ本体と、該第１フィルタ本体の表面部又は裏面部に形成された前記塗料ノズル内の塗料の通過を当該第１フィルタ本体の網目に捕捉された塵埃によって阻害されてしまう事態を低減させる複数の第１突起とを有し、
前記第２フィルタは、複数の透孔を有する網目状の第２フィルタ本体と、該第２フィルタ本体の表面部又は裏面部に形成された前記塗料供給部内の塗料の通過を当該第２フィルタ本体の網目に捕捉された塵埃によって阻害されてしまう事態を低減させる複数の第２突起とを有してなることを特徴とする塗装スプレーガン用フィルタ。
【請求項２】
前記第１フィルタ本体の周枠には、第１補強部材が形成されてなることを特徴とする請求項１に記載の塗装スプレーガン用フィルタ。
【請求項３】
前記第２フィルタ本体の周枠には、第２補強部材が形成されてなることを特徴とする請求項１又は２に記載の塗装スプレーガン用フィルタ。
【請求項４】
請求項１〜３のいずれか１項に記載の塗装スプレーガン用フィルタを用いた塗装スプレーガン。
【発明の詳細な説明】
【技術分野】
【０００１】
本発明は、例えば、自動車の車体等の被塗装物の塗装に用いられる塗装スプレーガン用フィルタ及びそれを用いた塗装スプレーガンに関し、より詳しくは、被塗装物の塗装の仕上がりを向上させる塗装スプレーガン用フィルタ及びそれを用いた塗装スプレーガンに関する。
【背景技術】
【０００２】
従来の塗装スプレーガンとしては、例えば特許文献１に記載のような塗装スプレーガンが知られている。この塗装スプレーガンは、塗料が供給されるガン本体と、塗料を噴出するための噴出口を有する塗料ノズルと、その噴出口から噴出される塗料の流量を制御するニードル弁とを備え、非塗装時においてはニードル弁によって塗料ノズルの噴出口が塞がれ、塗装時においては、ニードル弁を移動させることによって塗料ノズルの噴出口を空けて、その噴出口から塗料を噴出するものである。
【先行技術文献】
【特許文献】
【０００３】
【特許文献１】特開２００２−３６１１２２号公報
【発明の概要】
【発明が解決しようとする課題】
【０００４】
しかしながら、上記のような塗装スプレーガンは、被塗装物の塗装にあたって、ガン本体内の塗料流路に付着した塗料粒子やゴミをそのまま塗料ノズルから噴出してしまい、それがために、被塗装物の塗装の仕上がりを低下させてしまうという問題があった。さらに、上記のような塗装スプレーガンは、塗料中に微小な塗料粒子やゴミが含まれていた場合、その微小な塗料粒子やゴミをそのまま塗料ノズルから噴出してしまうため、これによっても、被塗装物の塗装の仕上がりを低下させてしまうという問題があった。
【０００５】
そこで本発明は、上記問題点に鑑み、被塗装物の塗装の仕上がりを向上させる塗装スプレーガン用フィルタ及びそれを用いた塗装スプレーガンを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明に係る塗装スプレーガン用フィルタは、塗装スプレーガン本体（１）と、該塗装スプレーガン本体（１）の先端側に設けられた塗料を噴霧する塗料ノズル（１２）と、該塗装スプレーガン本体（１）内に塗料を供給する塗装スプレーガン本体（１）に設けられた塗料供給部（９）とを有してなる塗装スプレーガンに用いられる塗装スプレーガン用フィルタであって、前記塗料ノズル（１２）内に設けられ塵埃を捕捉する第１フィルタ（２０）及び／又は前記塗料供給部（９）内に設けられ塵埃を捕捉する第２フィルタ（３０）を含み、
前記第１フィルタ（２０）及び／又は前記第２フィルタ（３０）は、ロール状に形成され、
前記第１フィルタ（２０）は、複数の透孔を有する網目状の第１フィルタ本体（２０ａ）と、該第１フィルタ本体（２０ａ）の表面部又は裏面部に形成された前記塗料ノズル（１２）内の塗料の通過を当該第１フィルタ本体（２０ａ）の網目に捕捉された塵埃によって阻害されてしまう事態を低減させる複数の第１突起（２０ｃ）とを有し、
前記第２フィルタ（３０）は、複数の透孔を有する網目状の第２フィルタ本体（３０ａ）と、該第２フィルタ本体（３０ａ）の表面部又は裏面部に形成された前記塗料供給部（９）内の塗料の通過を当該第２フィルタ本体（３０）の網目に捕捉された塵埃によって阻害されてしまう事態を低減させる複数の第２突起（３０ｃ）とを有してなることを特徴としている。
【００１１】
請求項２の発明に係る塗装スプレーガン用フィルタは、上記請求項１に記載の塗装スプレーガン用フィルタにおいて、前記第１フィルタ本体（２０ａ）の周枠には、第１補強部材（２０ｂ）が形成されてなることを特徴としている。
【００１２】
請求項３の発明に係る塗装スプレーガン用フィルタは、上記請求項１又は２に記載の塗装スプレーガン用フィルタにおいて、前記第２フィルタ本体（３０ａ）の周枠には、第２補強部材（３０ｂ）が形成されてなることを特徴としている。
【００１３】
請求項４の発明に係る塗装スプレーガンは、上記請求項１〜３のいずれか１項に記載の塗装スプレーガン用フィルタを用いたことを特徴としている。
【発明の効果】
【００１４】
次に、本発明の効果について、図面の参照符号を付して説明する。請求項１及び４の発明によれば、塗料ノズル（１２）内に塵埃を捕捉する第１フィルタ（２０）を設け、又、塗料供給部９内に塵埃を捕捉する第２フィルタ（３０）を設けているから、塵埃を塗料ノズル（１２）から噴出してしまう事態を低減させることができる。そのため、本発明によれば、被塗装物の塗装の仕上がりを向上させることができる。
【００１５】
さらに、本発明によれば、塗料ノズル（１２）内に塵埃を捕捉する第１フィルタ（２０）を設け、さらには、塗料供給部（９）内に塵埃を捕捉する第２フィルタ（３０）を設けているから、塵埃を塗料ノズル（１２）から噴出してしまう事態をより低減させることができる。そのため、さらに被塗装物の塗装の仕上がりを向上させることができる。
【００１６】
また、本発明によれば、上記第１フィルタ（２０）は、複数の透孔を有する網目状の第１フィルタ本体（２０ａ）を有しているから、その網目内に塵埃を捕捉することができる。そしてさらに、網目内に捕捉された塵埃が、網目内からの塗料の通過を阻害してしまったとしても、第１フィルタ本体（２０ａ）の表面部又は裏面部には塗料の通過を当該第１フィルタ本体（２０ａ）の網目に捕捉された塵埃によって阻害されてしまう事態を低減させる複数の第１突起（２０ｃ）が形成されているから、塗料の流通経路を形成できる。それゆえ、塗料の通過を阻害してしまう事態を低減させることができる。また、本発明によれば、上記第２フィルタ（３０）も上記第１フィルタ（２０）と同様の構成を有しているから、同様の作用効果を奏する。さらに、上記第１フィルタ（２０）及び／又は第２フィルタ（３０）は、ロール状に形成されているから、第１フィルタ（２０）及び／又は第２フィルタ（３０）内の塗料の流通経路を自由自在に設定することができる。
【００１８】
そして、請求項２及び４の発明によれば、上記第１フィルタ本体（２０ａ）の周枠には、第１補強部材（２０ｂ）が形成されているから、上記第１フィルタ本体（２０ａ）の周枠が経年劣化に伴い細かく裂けたり、めくれたりしてしまう事態を低減させることができる。また同様に、請求項３及び４の発明によれば、上記第２フィルタ本体（３０ａ）の周枠には、第２補強部材（３０ｂ）が形成されているから、上記第２フィルタ本体（２０ａ）の周枠が経年劣化に伴い細かく裂けたり、めくれたりしてしまう事態を低減させることができる。
【図面の簡単な説明】
【００１９】
【図１】本発明の一実施形態に係る塗装スプレーガンの外観構成を示す図である。
【図２】同実施形態に係る塗装スプレーガン本体先端部の分解斜視図である。
【図３】（ａ）は同実施形態に係る第１フィルタの展開平面図、（ｂ）は（ａ）のＸ−Ｘ線拡大断面図である。
【図４】同実施形態に係る塗料供給部側の分解斜視図である。
【図５】（ａ）は同実施形態に係る第２フィルタの展開平面図、（ｂ）は（ａ）のＹ−Ｙ線拡大断面図である。
【発明を実施するための形態】
【００２０】
以下、本発明に係る塗装スプレーガンの一実施形態について、図１〜図５を参照して具体的に説明する。
【００２１】
本実施形態に係る塗装スプレーガンは、図１に示すように、略ピストル形状の塗装スプレーガン本体１を有し、この塗装スプレーガン本体１には、当該塗装スプレーガン本体１を把持する把持部２が設けられている。そして、その把持部２の下方には、圧縮空気の供給元と接続する空気ニップル３が設けられ、この空気ニップル３の近傍には、塗装スプレーガン本体１内に供給される空気量を調整できる空気量調整装置４が上記空気ニップル３と略並行となるような位置に設けられている。
【００２２】
また、その把持部２の上方には、塗装スプレーガン本体１内のニードル弁１０（図２参照）の動きを加減して塗料の噴出量を調整できる塗料噴出量調整装置５が設けられ、その塗料噴出量調整装置５の上方には、塗料の塗り幅を調節するためのパター開き調整装置６が上記塗料噴出量調整装置５と略並行となるような位置に設けられている。
【００２３】
さらに、塗装スプレーガン本体１の略中央部には、引き金７が把持部２と略並行となるような位置に設けられ、この引き金７を引くことで、塗装スプレーガン本体１内部の空気弁（図示せず）が開き、塗料を被塗装物に噴霧させることができる。
【００２４】
そして、塗装スプレーガン本体１の先端には空気キャップ８が締結固定されている。さらに詳しく塗装スプレーガン本体１の先端の構成を、図２を用いて説明する。塗装スプレーガン本体１の先端部１１の外周には雄ねじ１１ａが形成され、この雄ねじ１１ａには、空気キャップ８の内部に形成されている雌ねじ（図示せず）が螺合される。これにより、塗装スプレーガン本体１の先端部１１に空気キャップ８が締結固定される。
【００２５】
そしてさらに、塗装スプレーガン本体１の先端部１１内周には、雌ねじ１１ｂが形成され、この雌ねじ１１ｂには、塗料ノズル１２における筒状の基端部１２ａの外周面に形成されている雄ねじ１２ｂが螺合される。これにより、塗装スプレーガン本体１の先端部１１に塗料ノズル１２が締結固定される。
【００２６】
この塗料ノズル１２は、筒状の基端部１２ａを有し、その基端部１２ａにはリング状の平面部１２ｃが固着され、さらに、その平面部１２ｃの他端部には略六角錐状の塗料ノズル本体１２ｄが固着されている。この塗料ノズル本体１２ｄの先端部には、塗料と圧縮空気の混合物が噴霧される噴霧口１２ｅが貫設され、基端部には、所要箇所に複数の空気孔１２ｆが貫設されている。なお、上記平面部１２ｃの外径は、上記空気キャップ８の内径よりも径小に形成されている。
【００２７】
一方、空気キャップ８は、一対の突出部８ａが設けられており、この突出部８ａの内径側には空気孔８ｂ（図示では１つ）が設けられている。このように設けられた空気孔８ｂからは、上記塗料ノズル１２の空気孔１２ｆから噴出された塗装スプレーガン本体１内の圧縮空気が半径内側方向に向けて噴出される。それは、塗装スプレーガン本体１の先端部１１に塗料ノズル１２が締結固定され、さらに、空気キャップ８が締結固定される際、平面部１２ｃと空気キャップ８の裏面側には空気通路が形成された状態で締結固定されるため、この空気通路を通って空気孔８ｂから圧縮空気が噴霧されるためである。なお、空気キャップ８の中心部には挿入孔８ｃが形成されており、この挿入孔８ｃ内に塗料ノズル１２の噴霧口１２ｅが挿入される（図４参照）。
【００２８】
また一方、図２に示すように、塗料ノズル１２の筒状の基端部１２ａ内には、塵埃を捕捉するロール状に形成された筒状の第１フィルタ２０が挿入される。そして、この第１フィルタ２０は、当該第１フィルタ２０内に、塗装スプレーガン本体１の先端部１１に塗料ノズル１２が締結固定される際、ニードル弁１０が挿通できるように形成されている。これにより、図１に示すように、塗料ノズル１２内に第１フィルタ２０が設けられることとなる。
【００２９】
上記のような第１フィルタ２０は、厚み約０．１５ｍｍからなる矩形状の弾性樹脂で形成され、図３（ａ）に示すように、網目状の第１フィルタ本体２０ａを有している。そして、この網目状の第１フィルタ本体２０ａの周枠には当該第１フィルタ本体２０ａと同一の材質で形成される第１補強部材２０ｂが形成されている。このような第１補強部材２０ｂを設ければ、上記第１フィルタ本体２０ａの周枠が経年劣化に伴い細かく裂けたり、めくれたりしてしまう事態を低減させることができる。
【００３０】
また、第１フィルタ本体２０ａの裏面部には、全域に亘って、図３（ｂ）に示すように、複数の第１突起２０ｃが形成されている。なお、本実施形態においては、第１フィルタ本体２０ａの裏面部全域に亘って複数の第１突起２０ｃが形成される例を示したが、全域に亘って複数の第１突起２０ｃを形成せずとも良い。また、表面部に複数の第１突起２０ｃを形成しても良い。
【００３１】
ところで、このように形成される第１フィルタ２０を、図２に示すような形状にするには、図３（ｂ）に示す矢印Ｐ方向に第１フィルタ２０を巻いていくことにより、図２に示すようなロール形状に形成されることとなる。なお、このロール形状を維持するには、端面同士を接着剤等で固定すれば良い。
【００３２】
このように形成される第１フィルタ２０は、網目状の第１フィルタ本体２０ａを有しているから、その網目内に塵埃を捕捉することができる。そしてさらに、網目内に捕捉された塵埃が、網目内からの塗料の通過を阻害してしまったとしても、第１フィルタ本体２０ａの表面部又は裏面部には複数の第１突起２０ｃが形成されているから、塗料の流通経路を形成できる。それゆえ、塗料の通過を阻害してしまう事態を低減させることができる。
【００３３】
また、第１フィルタ２０は、ロール状に形成されているから、第１フィルタ２０内の塗料の流通経路を自由自在に設定することができる。
【００３４】
また一方、塗装スプレーガン本体１には、図１に示すように、空気キャップ８の軸方向と垂直になる方向に、塗料を塗装スプレーガン本体１内に供給する塗料供給部９が突設されている。そして、この塗料供給部９には、締結部１５ａを有するホース１５が接続されている。なお、このホースの先端には塗料を貯留している塗料タンク（図示せず）が設けられている。
【００３５】
図４を用いてより詳しく塗料供給部９とホース１５の接続方法を説明すると、塗料供給部９の先端には、筒状の先端部９ａが設けられており、その先端部９ａの外周面には雄ねじ９ｂが形成されている。そして、締結部１５ａを有するホース１５の締結部１５ａの内周面には、雌ねじ１５ｂが形成されており、この雌ねじ１５ｂに雄ねじ９ｂが螺合される。これにより、塗料供給部９とホース１５が接続されることとなる。
【００３６】
また、図４に示すように、塗料供給部９とホース１５が接続されるにあたって、塗料供給部９内には、塵埃を捕捉するロール状に形成された筒状の第２フィルタ３０が挿入される。そして、この第２フィルタ３０が塗料供給部９内に挿入された状態で、塗料供給部９とホース１５が接続されることとなる。これにより、図１に示すように、塗料供給部９内に第２フィルタ３０が設けられることとなる。
【００３７】
上記のような第２フィルタ３０は、厚み約０．１５ｍｍからなる弾性樹脂で形成され、図５（ａ）に示すように、矩形状で網目状の第２フィルタ本体３０ａを有している。そして、この網目状の第２フィルタ本体３０ａの周枠には当該第２フィルタ本体３０ａと同一の材質で形成される第２補強部材３０ｂが形成されている。
【００３８】
また、第２フィルタ本体３０ａの裏面部には、全域に亘って、図５（ｂ）に示すように、複数の第２突起３０ｃが形成されている。なお、本実施形態においては、第２フィルタ本体３０ａの裏面部全域に亘って複数の第２突起３０ｃが形成される例を示したが、全域に亘って複数の第２突起３０ｃを形成せずとも良い。また、表面部に複数の第２突起３０ｃを形成しても良い。
【００３９】
そしてまた、第２フィルタ本体３０ａの周枠に形成された第２補強部材３０ｂの一辺に矩形状の掴み部３０ｄが一体形成されている。
【００４０】
ところで、このように形成される第２フィルタ３０を、図４に示すような形状にするには、図５（ｂ）に示す矢印Ｐ１方向に第２フィルタ３０を巻いていくことにより、図２に示すようなロール形状に形成されることとなる。なお、このロール形状を維持するには、端面同士を接着剤等で固定すれば良い。
【００４１】
しかして、この第２フィルタ３０と第１フィルタ２０との相違は、掴み部３０ｄを設けているか否かの相違のみであるため、第２フィルタ３０は第１フィルタ２０と同一の作用効果を奏する。なお、第２フィルタ３０に掴み部３０ｄを設けることによって、簡単容易に塗料供給部９内から第２フィルタ３０を抜出することができる。
【００４２】
しかして以上説明した本実施形態によれば、塗料ノズル１２内に塵埃を捕捉する第１フィルタ２０を設け、又は、塗料供給部９内に塵埃を捕捉する第２フィルタ３０を設けているから、塵埃を塗料ノズル１２から噴出してしまう事態を低減させることができる。そのため、本実施形態によれば、被塗装物の塗装の仕上がりを向上させることができる。
【００４３】
さらに、本実施形態によれば、塗料ノズル１２内に塵埃を捕捉する第１フィルタ２０を設け、さらには、塗料供給部９内に塵埃を捕捉する第２フィルタ３０を設けているから、塵埃を塗料ノズル１２から噴出してしまう事態をより低減させることができる。そのため、さらに被塗装物の塗装の仕上がりを向上させることができる。
【００４４】
なお、本実施形態においては、第１フィルタ２０及び第２フィルタ３０を弾性樹脂で形成する例を示したが、弾性樹脂でなくとも、弾性のある金網等で形成しても良い。また、第１フィルタ２０及び第２フィルタ３０の形状はロール形状に限らず、どのような形状であっても良い。
【００４５】
なおまた、本実施形態において示した塗装スプレーガンの形状に限らず、重力式の塗装スプレーガン等、様々な形状の塗装スプレーガンに適用可能である。
【符号の説明】
【００４６】
１          塗装スプレーガン本体
９          塗料供給部
１２        塗料ノズル
２０        第１フィルタ
２０ａ      第１フィルタ本体
２０ｂ      第１補強部材
２０ｃ      第１突起
３０        第２フィルタ
３０ａ      第２フィルタ本体
３０ｂ      第２補強部材
３０ｃ      第２突起
【図１】
0005618925.tif 000002
【図２】
0005618925.tif 000003
【図３】
0005618925.tif 000004
【図４】
0005618925.tif 000005
【図５】
0005618925.tif 000006